(57)【要約】【課題】熟練作業者でなくても電動ドライバを容易に垂直に保持することができ、作業効率の向上を図ることができる電動ドライバ用垂直ガイドを提供すること。【解決手段】電動ドライバ１の先端部に装着可能な電動ドライバ用垂直ガイド３を、ドライバビット９の外周を覆い、且つ、ドライバビット軸線と直交する座面７ａを備えたスリーブ７と、該スリーブ７を摺動案内するガイド６と、スリーブ７を電動ドライバ１の先端方向へ付勢するスプリング８とを含んで構成する。又、前記スリーブ７の側面に複数の開口部７ｂを形成する。【選択図】図２
2006142403.tif 000002
【特許請求の範囲】
【請求項１】
電動ドライバの先端部に装着可能であって、ドライバビットの外周を覆い、且つ、ドライバビット軸線と直交する座面を備えたスリーブと、該スリーブを摺動案内するガイドと、スリーブを電動ドライバの先端方向へ付勢するスプリングとを含んで構成されることを特徴とする電動ドライバ用垂直ガイド。
【請求項２】
前記スリーブの側面に複数の開口部を形成したことを特徴とする請求項１記載の電動ドライバ用垂直ガイド。
【請求項３】
請求項１又は２記載の電動ドライバ用垂直ガイドを備えたことを特徴とする電動ドライバ。
【発明の詳細な説明】
【技術分野】
【０００１】
本発明は、電動ドライバとこれを垂直に保持するための電動ドライバ用垂直ガイドに関するものである。
【背景技術】
【０００２】
ネジ類を電動ドライバで締め付ける際には、ドライバビットの先端にネジ類頭部の凹溝部を係合させ、その状態を維持しながら作業者が締付け部材面に対して電動ドライバを垂直に保持して作業するが、電動ドライバを常に正しく垂直に保持することは容易ではなく、ドライバビットとネジ類頭部との係合外れにより、ネジ類頭部の損傷を招いたり、ドライバビットが締付け部材面にぶつかり、締付け部材の損傷を招く場合があった。又、垂直にネジを保持することができないため、ネジを締め付けた後に該ネジの座面と締付け部材の間に隙間ができ、手直し作業が必要であったり、最悪の場合には締付け部材を廃棄しなければならない場合があった。
【０００３】
【特許文献１】特開２００３−１０３４０９号公報
【特許文献２】特開２００３−２６６２２２号公報
【発明の開示】
【発明が解決しようとする課題】
【０００４】
従来の電動ドライバでの締付け作業においては、締付け部材面に対して電動ドライバを垂直に保持する作業は専ら作業者の勘に頼っていたため、作業者の熟練と細心の注意が必要であった。
【０００５】
本発明は上記問題に鑑みてなされたもで、その目的とする処は、熟練作業者でなくても電動ドライバを容易に垂直に保持することができ、作業効率の向上を図ることができる電動ドライバ用垂直ガイドとこれを備える電動ドライバを提供することにある。
【課題を解決するための手段】
【０００６】
上記目的を達成するため、請求項１記載の発明は、電動ドライバの先端部に装着可能な電動ドライバ用垂直ガイドを、ドライバビットの外周を覆い、且つ、ドライバビット軸線と直交する座面を備えたスリーブと、該スリーブを摺動案内するガイドと、スリーブを電動ドライバの先端方向へ付勢するスプリングとを含んで構成したことを特徴とする。
【０００７】
請求項２記載の発明は、請求項１記載の発明において、前記スリーブの側面に複数の開口部を形成したことを特徴とする。
【０００８】
請求項３記載の発明は、電動ドライバに請求項１又は２記載の電動ドライバ用垂直ガイドを備えたことを特徴とする。
【発明の効果】
【０００９】
請求項１記載の発明によれば、垂直ガイドを電動ドライバに装着し、垂直ガイドを締付け部材上に載置すれば、熟練作業者でなくても電動ドライバを容易に垂直に保持することができ、ドライバビットに装着されたネジを締付け部材に対して常に垂直に締め付けることができるため、締付け不完全等による締直しがなくなり、作業効率の向上が図られる。
【００１０】
請求項２記載の発明によれば、スライドの開口部を通してネジをドライバビットに容易に装着することができるとともに、ネジの締付け位置や状態をスライドの開口部から目視にて確認することができる。
【発明を実施するための最良の形態】
【００１１】
以下に本発明の実施の形態を添付図面に基づいて説明する。
【００１２】
図１は本発明に係る垂直ガイドを装着した電動ドライバの破断側面図、図２は図１の要部拡大詳細図、図３は垂直ガイドを用いた締付け作業を示す部分破断側面図である。
【００１３】
電動ドライバ１は、これに搭載されたモータ１ａを駆動することによって、該モータ１ａの回転動力を不図示のギヤ等の動力伝達部材を介してドライバビット９に伝達することによって該ドライバピット９を回転駆動し、該ドライバビット９に装着されたネジ１０を回転させることによって締付け作業を行う工具である。
【００１４】
而して、電動ドライバ１を用いて締付け作業を行う場合、電動ドライバ１は、これの先部に装着された垂直ガイド３によって締付け部材１１に対して垂直に保持される。ここで、垂直ガイド３は、電動ドライバ１のギヤカバー２にホルダ４を介して複数の固定ボルト５によって着脱可能に装着されるものであって、前記ホルダ４に複数の固定ボルト５によって取り付けられた円筒状のガイド６に円筒状のスリーブ７を摺動可能に嵌合保持せしめて構成され、スリーブ７は、これと前記ホルダ４との間に縮装されたスプリング８によって常時下方に付勢されており、その座面（下端面）７ａはドライバビット９の軸線に対して直交している。尚、スリーブ７の側面には複数の開口部７ｂが形成されている。
【００１５】
而して、電動ドライバ１によってネジ１０を締付け部材１１に締め付ける作業に際しては、図１及び図２に示すように、先端部に装着された垂直ガイド３をそのスリーブ７の座面７ａが締付け部材１１の表面に当接するようにして電動ドライバ１を垂直に保持する。このとき、電動ドライバ１のドライバビット９に装着されたネジ１０は、締付け部材１１の表面に対して垂直を維持する。
【００１６】
而して、上記状態から電動ドライバ１のモータ１ａを駆動してドライバビット９を回転駆動し、これに装着されたネジ１０を回転させながら、電動ドライバ１を押し下げれば、該電動ドライバ１は、図３に示すように、これに取り付けられた垂直ガイド３のガイド６と共にスプリング８の付勢力に抗して下動し、ドライバビット９に装着されたネジ１０が締付け部材１１に垂直に締め付けられる。尚、このときのネジ１０等の状況は、スリーブ７に形成された開口部７ｂから目視にて確認することができる。
【００１７】
そして、ネジ１０の締付け部材１１への締め付けが終了すると、電動ドライバ１を下方へ押し付ける力を解除すれば、該電動ドライバ１は、スプリング８の上方への付勢力によってガイド６と共に上動して図１及び図２に示す元の位置に復帰する。そして、スリーブ７に形成された開口部７ｂを通して次のネジ１０をドライバビット９に容易に装着して締付け作業を繰り返し行うことができる。
【００１８】
以上のように、本発明によれば、垂直ガイド３を電動ドライバ１に装着し、垂直ガイド３を締付け部材１１上に載置すれば、熟練作業者でなくても電動ドライバ１を容易に垂直に保持することができ、ドライバビット９に装着されたネジ１０を締付け部材１１に対して常に垂直に締め付けることができるため、締付け不完全等による締直しがなくなり、作業効率の向上が図られる。
【図面の簡単な説明】
【００１９】
【図１】本発明に係る垂直ガイドを装着した電動ドライバの破断側面図である。
【図２】図１の要部拡大詳細図である。垂直ガイドを装着した電動ドライバ先端部の拡大図である。
【図３】本発明に係る垂直ガイドを用いた締付け作業を示す部分破断側面図である。
【符号の説明】
【００２０】
１    電動ドライバ
１ａ  モータ
２    ギヤカバー
３    垂直ガイド
４    ホルダ
５    固定ボルト
６    ガイド
７    スリーブ
７ａ  スリーブ座面
７ｂ  スリーブ開口部
８    スプリング
９    ドライバビット
１０  ネジ
１１  締付け部材
【図１】
2006142403.tif 000003
【図２】
2006142403.tif 000004
【図３】
2006142403.tif 000005